(57)【要約】【課題】構造が簡単でコストが安く、また軽くハンドリング性のよいフロート装置を提供すること。【解決手段】板状の浮体１の縁部に連結部２を形成し、この連結部２を介して複数の浮体１を連結するとともに、各浮体１の上に太陽電池３を敷設する。【選択図】図１
2007109769.tif 000002
【特許請求の範囲】
【請求項１】
板状の浮体の縁部に連結部を形成し、該連結部を介して複数の浮体を連結するとともに、各浮体の上に太陽電池を敷設したことを特徴とするフロート装置。
【請求項２】
浮体の上面外周部に複数の突起を形成するとともに、浮体の下面の突起と対応する位置に、該突起と嵌合する凹部を形成したことを特徴とする請求項１記載のフロート装置。
【請求項３】
浮体の上面を傾斜面としたことを特徴とする請求項１又は２記載のフロート装置。
【発明の詳細な説明】
【技術分野】
【０００１】
本発明は、各種の処理槽や貯留槽等の水面を覆うために用いられるフロート装置に関し、特に、太陽電池モジュールを組み込むことにより、太陽光をエネルギー源として発電を行えるようにしたフロート装置に関するものである。
【背景技術】
【０００２】
例えば、浄水場においては、原水に凝集剤を添加して凝集・沈澱処理した後、この処理水を活性炭処理及び砂濾過処理する処理方法が採用されており、これらの処理は、それぞれ専用の処理槽において行うようにしている。
【０００３】
ところで、これらの処理を行う処理槽は、通常、上部を解放したままのものが多く用いられており、このため、大気中の塵埃が処理槽内に侵入したり、処理槽内に太陽光が直接照射されることによって藻類が大量に発生し、処理水の処理工程に支障が生じたり、処理水の品質が低下するという問題があった。
【０００４】
一方、従来より、エネルギーの供給システムに関して、石油等の化石燃料の枯渇や環境汚染の問題が叫ばれ、水力、地熱、太陽光、風力といった再生可能なエネルギー源を用いたエネルギーの供給システムの開発が緊急の課題として要請されている。
そこで、下記の特許文献に示されるように、フロートの上面に太陽電池モジュールを配設した覆蓋パネルを、水面に浮かべて覆蓋するフロート装置が提案されている。
【０００５】
しかしながら、上記従来のフロート装置は、ドーム状に形成したフレームの四隅にフロートを固定するとともに、フレームに天板を固定し、該天板に太陽電池を枠体によって固定することから、構造が複雑で部品点数が多くなり、コストが高く、また重くハンドリング性が悪いという問題があった。
【特許文献１】特開平１０−１７３２１２号公報
【発明の開示】
【発明が解決しようとする課題】
【０００６】
本発明は、上記従来のフロート装置が有する問題点に鑑み、構造が簡単でコストが安く、また軽くハンドリング性のよいフロート装置を提供することを目的とする。
【課題を解決するための手段】
【０００７】
上記目的を達成するため、本発明のフロート装置は、板状の浮体の縁部に連結部を形成し、該連結部を介して複数の浮体を連結するとともに、各浮体の上に太陽電池を敷設したことを特徴とする。
【０００８】
この場合において、浮体の上面外周部に複数の突起を形成するとともに、浮体の下面の突起と対応する位置に、該突起と嵌合する凹部を形成することができる。
【０００９】
また、浮体の上面を傾斜面とすることができる。
【発明の効果】
【００１０】
本発明のフロート装置によれば、板状の浮体の縁部に連結部を形成し、該連結部を介して複数の浮体を連結するとともに、各浮体の上に太陽電池を敷設することから、太陽電池を大面積の水面に容易に設置することができ、また、浮体は構造が簡単で、ブロー成形等により一体成形できることから、コストが安く軽量でハンドリング性のよい発電・防藻用フロートとすることができる。
【００１１】
この場合、浮体の上面外周部に複数の突起を形成するとともに、浮体の下面の突起と対応する位置に、該突起と嵌合する凹部を形成することにより、分解した浮体を安定した状態で積み重ねることができる。
【００１２】
また、浮体の上面を傾斜面とすることにより、水はけを良くし、太陽電池の防水性を高めることができる。
この場合、太陽光のエネルギー変換効率が良くなるように傾斜面の方向及び角度を設定することができる。
【発明を実施するための最良の形態】
【００１３】
以下、本発明のフロート装置の実施の形態を、図面に基づいて説明する。
【実施例１】
【００１４】
図１〜図６に、本発明のフロート装置の一実施例を示す。
このフロート装置は、板状の浮体１の縁部に連結部２を形成し、該連結部２を介して複数の浮体１を連結するとともに、各浮体１の上に太陽電池３を敷設している。
【００１５】
浮体１は、図２〜図４に示すように、ポリエチレンやポリプロピレンを素材としてブロー成形した四角形の板状ブロックからなり、浮体１の前部と後部には、相互に重なり合う上下の鍔部４ａ、４ｂが形成されている。
上側の鍔部４ａには、図５（ｅ）〜（ｆ）に示すように、断面鳩尾状の浅溝５が形成されるとともに、下側の鍔部４ｂには、図５（ｃ）〜（ｄ）に示すように、該浅溝５に嵌合する鳩尾状のアリ部６が形成されており、これら浅溝５とアリ部６により複数の浮体１を前後に連結するようにしている。
一方、浮体１の左右いずれかの側部には、断面鳩尾状の長溝７が浮体の前後方向に形成されており、図５（ｂ）に示すように、左右１対の浮体１を長溝７を突き合わせるように並べ、断面鼓状に形成した棒状の接合部材８を長溝７に挿入することにより、浮体１を左右に連結するようにしている。
【００１６】
また、浮体１は、図２〜図４に示すように、その上面を傾斜面とするとともに、この傾斜面に排水溝９を形成しており、この浮体１の上面に、１枚の太陽電池３を敷設し固定している。
浮体１の上面外周部には、４個の突起１０が形成されるとともに、浮体１の下面の突起１０と対応する位置には、該突起１０と嵌合する凹部１１が形成されている。
突起１０は、図６（ｃ）に示すように、積み重ね時に浮体１が水平になるように、傾斜面の下側の突起１０を長く形成している。
このように、浮体１の上面を傾斜面とすることにより、水はけを良くし、太陽電池３の防水性を高めることができる。
この場合、太陽光のエネルギー変換効率が良くなるように傾斜面の方向及び角度を設定することができる。
【００１７】
太陽電池３は、本実施例ではシート状のものからなり、必要に応じて、ブロー成形時に浮体１に組み込み成形したボルト等の締結具（図示省略）を利用して、浮体１に二次接合されている。
このように浮体１に敷設した太陽電池３は、浮体１を上記のように組み合わせて連結することにより、一体化して大面積の水面にも対応することができる。
なお、本実施例においては、太陽電池３に、浮体１と略同じ大きさの太陽電池を使用したが、これに限定されず、例えば、複数の浮体１に亘る大きさの太陽電池、より具体的には、シート状でフレキシブルな太陽電池を用いることもできる。
【００１８】
かくして、本実施例のフロート装置は、板状の浮体１の縁部に連結部２を形成し、該連結部２を介して複数の浮体１を連結するとともに、各浮体１の上に太陽電池３を敷設することから、太陽電池３を大面積の水面に容易に設置することができ、また、浮体１は構造が簡単で、ブロー成形等により一体成形できることから、コストが安く軽量でハンドリング性のよい発電・防藻用フロートとすることができる。
【００１９】
この場合、浮体１の上面外周部に複数の突起１０を形成するとともに、浮体１の下面の突起１０と対応する位置に、該突起１０と嵌合する凹部１１を形成することにより、分解した浮体１を安定した状態で積み重ねることができ、さらに、浮体１の上面を傾斜面とすることにより、水はけを良くし、太陽電池３の防水性を高めることができる。
【００２０】
以上、本発明のフロート装置について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００２１】
本発明のフロート装置は、構造が簡単でコストが安く、また軽くハンドリング性に優れていることから、水処理施設の水上を覆う発電・防藻用フロート装置に好適に用いることができるほか、例えば、ダム、湖、海上等の水面に浮かべて使用する発電用フロート装置の用途にも用いることができる。
【図面の簡単な説明】
【００２２】
【図１】本発明のフロート装置の一実施例を示し、（ａ）はその平面図、（ｂ）は同正面図である。
【図２】同フロート装置の左側の浮体を示す五面図である。
【図３】同浮体を示し、（ａ）はその裏面図、（ｂ）は（ａ）のＡ−Ａ線断面図、（ｃ）は（ａ）のＢ−Ｂ線断面図である。
【図４】同フロート装置の右側の浮体を示す五面図である。
【図５】（ａ）は接合部材の二面図、（ｂ）は長溝と接合部材による連結を示す断面図、（ｃ）は下側の鍔部とアリ部を示す平面図、（ｄ）は同正面図、（ｅ）は上側の鍔部と浅溝を示す平面図、（ｆ）は同正面図である。
【図６】（ａ）は浮体の斜視図、（ｂ）はフロート装置を積み重ねた状態を示す正面図、（ｃ）は積み重ね用突起と凹部を示す断面図である。
【符号の説明】
【００２３】
１    浮体
２    連結部
３    太陽電池
４ａ  鍔部
４ｂ  鍔部
５    浅溝
６    アリ部
７    長溝
８    接合部材
９    排水溝
１０  突起
１１  凹部
【図１】
2007109769.tif 000003
【図２】
2007109769.tif 000004
【図３】
2007109769.tif 000005
【図４】
2007109769.tif 000006
【図５】
2007109769.tif 000007
【図６】
2007109769.tif 000008